【手続補正書】
【提出日】令和3年9月22日(2021.9.22)
【手続補正１】
【補正対象書類名】特許請求の範囲
【補正対象項目名】全文
【補正方法】変更
【補正の内容】
【特許請求の範囲】
【請求項１】
対向する前方および後方（ＤＦ、ＤＲ）を画定する本体中心軸を有し、その周りで回転方向（Ｒ）に回転可能なスロット加工工具本体（２２）であって、前記スロット加工工具本体（２２）は、
周囲に配置されたインサート受容スロット（３８）を有する弾性クランプ部分（３２）を備える円盤状カッター部分（２６）と、
前記カッター部分（２６）から後方に突出するシャンク部分（５６）であって、前記シャンク部分（５６）が、前記本体中心軸（Ｂ）の周りに円周方向に延在するシャンク周面（５８）と、前記カッター部分（２６）に隣接する前記シャンク周面（５８）に窪み、開口する前方シャンク凹部（６０）とを含む、シャンク部分（５６）と、
を備え、
前記インサート受容スロット（３８）の半径方向内方部分は、後方（ＤＲ）で前方シャンク凹部（６０）と合体する、スロット加工工具本体（２２）。
【請求項２】
前記カッター部分（２６）および前記シャンク部分（５６）は、前記スロット加工工具本体（２２）が一体のワンピース構造を有するように一体的に形成される、請求項１に記載のスロット加工工具本体（２２）。
【請求項３】
前記クランプ部分（３２）は、互いに対向し、前記インサート受容スロット（３８）によって互いに離間した弾性クランプ部材（３４）および下顎部材（３６）をさらに備え、前記弾性クランプ部材（３４）は、前記下顎部材（３６）の前方に回転可能に配置され、前記インサート受容スロット（３８）内で切削インサート（２４）を弾性的に保持するように構成される、請求項１または２に記載のスロット加工工具本体（２２）。
【請求項４】
前記弾性クランプ部材（３４）は、前記前方シャンク凹部（６０）に軸方向に隣接している、請求項３に記載のスロット加工工具本体（２２）。
【請求項５】
前記シャンク部分（５６）は、周囲に配置された非凹状前方シャンク部分（６２）を備え、前記非凹状前方シャンク部分（６２）は、前記前方シャンク凹部（６０）に円周方向に隣接し、前記カッター部分（２６）に軸方向に隣接する、請求項３または４に記載のスロット加工工具本体（２２）。
【請求項６】
前記カッター部分（２６）は、互いに角度的に離間された複数のクランプ部分（３２）を形成するために、少なくとも１つの追加の弾性クランプ部分（３２）をさらに備え、
前記シャンク部分（５６）は、互いに角度的に離間された複数の前方シャンク凹部（６０）を形成するために、少なくとも１つの追加の前方シャンク凹部（６０）をさらに備え、
前記シャンク部分（５６）は、互いに角度的に離間された複数の非凹状前方シャンク部分（６２）を形成するために、少なくとも１つの追加の非凹状前方シャンク部分（６２）をさらに備え、各非凹状前方シャンク部分（６２）は、２つの円周方向に隣接する前方シャンク凹部（６０）の間に位置し、
各インサート受容スロット（３８）の半径方向内方部分は、前記後方（ＤＲ）でそれぞれの前方シャンク凹部（６０）と合体する、請求項５に記載のスロット加工工具本体（２２）。
【請求項７】
前記本体中心軸（Ｂ）に沿った方向において、
前記本体中心軸（Ｂ）と、非凹状前方シャンク部分（６２）上の最も遠い部分との間に延在する仮想半径線は、前記本体中心軸（Ｂ）を中心とし、シャンク部分直径（ＤＳ）を有するシャンク部分円（ＣＳ）のシャンク部分半径（ＲＳ）を画定し、
前記カッター部分（２６）は、前記本体中心軸（Ｂ）を中心とし、カッター部分直径（ＤＣ）を有する外接カッター部分円（ＣＣ）を画定する、請求項５または６に記載のスロット加工工具本体（２２）。
【請求項８】
前記インサート受容スロット（３８）は、前記下顎部材（３６）上に位置するスロット下顎当接面（４４）を備える細長いスロット周面（４０）によって画定され、
前記本体中心軸（Ｂ）に沿った方向において、前記シャンク部分円（ＣＳ）は前記スロット下顎当接面（４４）と交差する、請求項７に記載のスロット加工工具本体（２２）。
【請求項９】
前記スロット周面（４０）は、前記弾性クランプ部材（３４）上に位置するスロットクランプ部材当接面（４２）をさらに備え、
前記本体中心軸（Ｂ）に沿った方向において、前記スロットクランプ部材当接面（４２）は、前記シャンク部分円（ＣＳ）の半径方向外側に位置する、請求項８に記載のスロット加工工具本体（２２）。
【請求項１０】
前記スロット周面（４０）は、前記スロットクランプ部材当接面（４２）と前記スロット下顎当接面（４４）との間に円周方向に位置するスロット半径方向ストップ面（４６）をさらに備え、
前記本体中心軸（Ｂ）に沿った方向において、前記スロット半径方向ストップ面（４６）は、前記シャンク部分円（ＣＳ）の半径方向内側に位置する、請求項９に記載のスロット加工工具本体（２２）。
【請求項１１】
前記前方シャンク凹部（６０）は、前方に面する凹部外側ベース面（６６）と、それに対して横方向に延在する凹部外周面（６８）とによって画定される、周囲に配置された凹部外側ギャップ（６４）を備え、前記凹部外側ベース面（６６）および前記凹部外周面（６８）の各端部は、前記シャンク周面（５８）と交差する、請求項１〜１０のいずれか一項に記載のスロット加工工具本体（２２）。
【請求項１２】
前記前方シャンク凹部（６０）は、前方に面する凹部内側ベース面（７６）と、これに対して横方向に延在する凹部内周面（７８）とによって画定される凹部内側ギャップ（７４）をさらに備え、
前記凹部内側ベース面（７６）は、前記凹部外周面（６８）と交差し、
前記凹部内周面（７８）の各端部は、前記凹部外周面（６８）と交差する、請求項１１に記載のスロット加工工具本体（２２）。
【請求項１３】
請求項１〜１２のいずれか一項に記載のスロット加工工具本体（２２）と、
前記インサート受容スロット（３８）内に解放可能で弾性的にクランプされた切削インサート（２４）と、
を備える、回転スロット切削工具（２０）。
【請求項１４】
前記切削インサート（２４）は、インサート長手方向軸（Ａ）を画定する方向に長手方向に伸長され、前記切削インサート（２４）は、
対向するインサート上面および下面（８４、８６）と、それらの間に延在するインサート周面（８８）であって、前記インサート上面および下面（８４、８６）を接続する２つの対向するインサート端面（９０）と、前記インサート上面および下面（８４、８６）も接続する２つの対向するインサート側面（９２）とを備える、インサート周面（８８）と、
前記インサート長手方向軸（Ａ）を含み、前記インサート側面（９２）の間を通り、前記インサート上面および下面（８４、８６）と交差し、前記対向するインサート端面（９０）とも交差するインサート長手方向平面（Ｐ１）と、
前記切削インサート（２４）の一端に位置する切削部分（９４ａ）であって、前記切削部分（９４ａ）が前記インサート上面（８４）と、前記２つのインサート端面（９０）のうちの１つとの交点に形成された切れ刃（９６）を備える、切削部分（９４ａ）と、
を備え、
前記切削部分（９４ａ）に対向する前記インサート端面（９０）は、前記インサート上面（８４）よりも前記インサート下面（８６）に近いインサートキー面（１０２）を備えるインサート凹状部分（１００）を備え、前記インサートキー面（１０２）は、前記インサート受容スロット（３８）から前記切削インサート（２４）を引き抜くために使用されるキー（５２）の変位プロング（５１ｂ）によって当接するように構成される、請求項１３に記載の回転スロット切削工具（２０）。
【請求項１５】
前記切削インサート（２４）の側面図において、前記インサートキー面（１０２）が凹曲面である、請求項１４に記載の回転スロット切削工具（２０）。
【請求項１６】
前記インサートキー面（１０２）は、前記インサート上面と下面（８４、８６）との間の中間に延在し、前記インサート長手方向軸（Ａ）を含むインサート中間平面（Ｍ）の下に完全に位置する、請求項１４または１５に記載の回転スロット切削工具（２０）。
【請求項１７】
前記切削インサート（２４）は、２つの切削部分（９４ａ、９４ｂ）を形成する追加の切削部分（９４ａ）を備え、前記２つの切削部分（９４ａ、９４ｂ）は、前記切削インサート（２４）の両端に形成される、請求項１４〜１６のいずれか一項に記載の回転スロット切削工具（２０）。
【請求項１８】
各インサート切削部分（９４ａ、９４ｂ）は、前記インサート長手方向平面（Ｐ１）から離れる方向に前記切削インサート（２４）の両側から横方向に突出し、その上に前記切れ刃（９６）が延在する２つのインサート横方向延長部（９８ａ、９８ｂ）を備え、
前記２つのインサート横方向延長部（９８ａ、９８ｂ）は広幅および狭幅インサート横方向延長部（９８ａ、９８ｈ）を備え、前記広幅インサート横方向延長部（９８ａ）は、前記インサート長手方向平面（Ｐ１）に垂直な方向で、前記狭幅インサート横方向延長部（９８ｈ）よりも長く、
前記広幅インサート横方向延長部（９８ａ）は、前記インサート長手方向平面（Ｐ１）の両側に位置する、請求項１７に記載の回転スロット切削工具（２０）。
【請求項１９】
前記２つの切削部分（９４ａ、９４ｂ）は、能動切削部分（９４ａ）および非能動切削部分（９４ｂ）を備え、前記能動切削部分（９４ａ）の前記切れ刃（９６）は、前記カッター部分（２６）の半径方向の広がりを越えて位置し、
前記能動切削部分（９４ａ）の前記広幅インサート横方向延長部（９８ａ）は、前記軸方向に対して前記２つのインサート横方向延長部（９８ａ、９８ｂ）の軸方向最前方である、請求項１８に記載の回転スロット切削工具（２０）。
【請求項２０】
前記インサート受容スロット（３８）は、前記本体中心軸（Ｂ）に沿った方向で前記切削インサート（２４）のインサートプロファイル（ＩＰ）によって画定されるスロットインサート部分（４８）を備え、
前記スロットインサート部分（４８）の半径方向内方部分は、後方（ＤＲ）において、前記前方シャンク凹部（６０）と合体する、請求項１３〜１９のいずれか一項に記載の回転スロット切削工具（２０）。
【請求項２１】
インサート長手方向軸（Ａ）を画定する方向に長手方向に伸長された切削インサート（２４）であって、
対向するインサート上面および下面（８４、８６）と、それらの間に延在するインサート周面（８８）であって、前記インサート上面および下面（８４、８６）を接続する２つの対向するインサート端面（９０）と、前記インサート上面および下面（８４、８６）も接続する２つの対向するインサート側面（９２）とを備える、インサート周面（８８）と、
前記インサート長手方向軸（Ａ）を含み、前記インサート側面（９２）の間を通り、前記インサート上面および下面（８４、８６）と交差し、前記対向するインサート端面（９０）とも交差するインサート長手方向平面（Ｐ１）と、
前記切削インサート（２４）の両端に位置する２つの切削部分（９４ａ、９４ｂ）であって、それぞれが前記インサート上面（８４）と、前記２つのインサート端面（９０）のうちの１つとの交点に形成された切れ刃（９６）を備える、２つの切削部分（９４ａ、９４ｂ）と、
を備える、切削インサート（２４）において、
各インサート切削部分（９４ａ、９４ｂ）は、前記インサート長手方向平面（Ｐ１）から離れる方向に前記切削インサート（２４）の両側から横方向に突出し、その上に前記切れ刃（９６）が延在する２つのインサート横方向延長部（９８ａ、９８ｂ）を備え、
前記２つのインサート横方向延長部（９８ａ、９８ｂ）は、広幅および狭幅インサート横方向延長部（９８ａ、９８ｂ）を備え、前記広幅インサート横方向延長部（９８ａ）は、前記インサート長手方向平面（Ｐ１）に垂直な方向で前記狭幅インサート横方向延長部（９８ｂ）よりも長く、
前記広幅インサート横方向延長部（９８ａ）は、前記インサート長手方向平面（Ｐ１）の両側にある、切削インサート（２４）。